【手続補正書】
【提出日】平成16年8月31日(2004.8.31)
【手続補正１】
【補正対象書類名】明細書
【補正対象項目名】０００８
【補正方法】変更
【補正の内容】
【０００８】
この発明は、かかる点に鑑みてなされたもので、プラスチックレンズのゲート位置の検出が容易で、検出精度が向上し、所望の方向に容易に組み付けできて光学性能が安定化した光学系或いは装置を容易に得られるプラスチックレンズ、及びそのプラスチックレンズを低コストで迅速に製造できるプラスチックレンズの製造方法を提供することを目的としている。
【手続補正２】
【補正対象書類名】明細書
【補正対象項目名】００１６
【補正方法】変更
【補正の内容】
【００１６】
この請求項２乃至請求項５に記載の発明によれば、フランジ部のゲート切断面のゲート位置部分の少なくとも一部が凹面、またはゲート位置部分がすべて凹面、または凹面以外のゲート切断面は、平面または円弧状凸面、またはゲート切断面がすべて凹面であることで、この凹面によってゲート位置が明確になっていることから、プラスチックレンズを光学装置に組み付けるときに、肉眼または検出器により凹面の検出が容易にでき、それによってゲート位置の検出精度が向上する。このため、その凹面を基準にしてプラスチックレンズを一定の方向に容易に、かつ精度よく組み付けることができ、組み付け作業性が向上するとともに、光学性能も安定化する。
【手続補正３】
【補正対象書類名】明細書
【補正対象項目名】００４９
【補正方法】変更
【補正の内容】
【００４９】
本明細書でいう『凹面』とは、プラスチックレンズの外形を光軸方向から見た時の形状が凹となる面の全体又はその一部のことを言う。ここで言う凹とは、全体的に見たときに凹であれば良く、微細な形状を問うものではない。例えば、微視的に見たときに一つ又は複数の凸が凹に形成されていたとしても、巨視的に見て凹であれば、ここでいう凹に該当するものである。この凹の一例としては、円弧状、Ｕ字状、Ｖ字状、コ字状等の種々の形状が挙げられるが、円弧状、Ｕ字状、Ｖ字状のように、凹の底部が分かり易い形状が好ましい。
【手続補正４】
【補正対象書類名】明細書
【補正対象項目名】００５７
【補正方法】変更
【補正の内容】
【００５７】
また、フランジ部１ｂのゲート位置部分が凹面であればよく、図２に示すようにゲート位置部分よりゲート切断面１ｃ’を大きく形成してもよい。
【手続補正５】
【補正対象書類名】明細書
【補正対象項目名】００５８
【補正方法】変更
【補正の内容】
【００５８】
このようにフランジ部１ｂのゲート位置部分が凹面であり、この凹面はフランジ部１ｂの仮想外周面１ｄに対してレンズ光軸Ｏ１側に凹となる窪んだ形状であるので、この凹面によってその位置が明確になっている。
【手続補正６】
【補正対象書類名】明細書
【補正対象項目名】００６６
【補正方法】変更
【補正の内容】
【００６６】
また、光学機能部１１ａのゲート位置部分が凹面であればよく、図４に示すようにゲート位置部分よりゲート切断面１１ｃ’を大きく形成してもよい。
【手続補正７】
【補正対象書類名】明細書
【補正対象項目名】００６９
【補正方法】変更
【補正の内容】
【００６９】
また、図３及び図４に示す実施の形態においては、ゲート切断面１１ｃ，１１ｃ’が曲面とした。これにより、凹面の形成を含めたゲート切断面１１ｃ，１１ｃ’の形成が容易になっている。特にその曲面がプラスチックレンズ１１を光軸方向から見たときに円弧状であることで、凹面となるゲート切断面１１ｃ，１１ｃ’をエンドミル切断機等により容易に加工できる。
【手続補正８】
【補正対象書類名】明細書
【補正対象項目名】００７０
【補正方法】変更
【補正の内容】
【００７０】
また、この円弧状は半径１ｍｍ以下の円の一部であることが好ましく、ゲート切断面１１ｃ，１１ｃ’をエンドミル切断機等により容易に加工でき、光学機能部１１ａを必要以上に削りすぎないようにすることができる。
【手続補正９】
【補正対象書類名】明細書
【補正対象項目名】００７１
【補正方法】変更
【補正の内容】
【００７１】
また、凹面は、以上の実施の形態のように、成形時に形成されたゲート部１２の切断の際に形成されることが好ましく、それによりレンズ製造を迅速に行うことができる。尚、図４に示した実施の形態においては、ゲート切断面１１ｃ’をすべて凹面としたが、ゲート位置部分が凹面に形成されればそれ以外は任意の形状としても良い。
【手続補正１０】
【補正対象書類名】明細書
【補正対象項目名】００７４
【補正方法】変更
【補正の内容】
【００７４】
この実施の形態では、凹面２１ｃ１以外の切断面２１ｃが円弧状凸面（プラスチックレンズの外周に沿った円孤状）に形成した例を示したが、図６に示すように切断面２１ｃ’を平面状に形成してもよいし、凹面２１ｃ１’の曲率半径を小さく形成してもよい。
【手続補正１１】
【補正対象書類名】明細書
【補正対象項目名】００７６
【補正方法】変更
【補正の内容】
【００７６】
このように光学機能部３１ａのゲート切断面３１ｃ’のゲート位置部分の少なくとも一部が凹面３１ｃ１’を形成したので、ゲート位置が明確になり、ゲート位置部分の肉眼及び検出器による検出精度が向上し、凹面３１ｃ１’を基準にしてプラスチックレンズを一定の方向に容易に、かつ精度よく組み付けることができ、レンズ性能が安定化し、組み付けの作業性も向上する。
【手続補正１２】
【補正対象書類名】明細書
【補正対象項目名】００７７
【補正方法】変更
【補正の内容】
【００７７】
この実施の形態では、凹面３１ｃ１以外のゲート切断面３１ｃが円弧状凸面（プラスチックレンズの外周に沿った円弧状）に形成した例を示したが、図８に示すように切断面３１ｃ’を平面状に形成してもよいし、凹面３１ｃ１’の曲率半径を小さく形成してもよい。
【手続補正１３】
【補正対象書類名】明細書
【補正対象項目名】００７８
【補正方法】変更
【補正の内容】
【００７８】
次に、前記したプラスチックレンズ１，１１，２１，３１の凹面には、図９に示すように、凹面４１ｃの底部Ｐ１とレンズ光軸Ｏ３とを結んだ直線Ｌ１と、ゲート位置部分の両側とレンズ光軸Ｏ３とを結んだ直線Ｌ２，Ｌ３とがなす角が、１０度の角度θ１，θ２の範囲内となる。凹面４１ｃの底部Ｐ１が１０度の角度θ１，θ２の範囲に位置することで、凹面の底部がほぼゲート中心位置を示すことになり、これによりゲート部４２のゲー卜中心位置が一段と明確になり、特にこの凹面の底部を基準にしてプラスチックレンズ４１を組み付けることで、精度よく組み付けることができ、レンズ性能が一段と安定化する。
【手続補正１４】
【補正対象書類名】明細書
【補正対象項目名】００８１
【補正方法】変更
【補正の内容】
【００８１】
また更に、凹面とすることによって、必要以上に余分な切断をしなくてよいようになる（例えばフランジ部の大部分をそのまま残すことができる）ので、コーティングの際の保持具やレンズ搬送用の収納ケースのレンズ保持部分からレンズが離脱したり、場合によっては、コーティング時の保持具に対してレンズが偏ってコーティング不良になるといった問題を防止しうるという効果も得られる。
【手続補正１５】
【補正対象書類名】図面
【補正対象項目名】図４
【補正方法】変更
【補正の内容】
【図４】
2001188159.tif 000001
【手続補正１６】
【補正対象書類名】図面
【補正対象項目名】図７
【補正方法】変更
【補正の内容】
【図７】
2001188159.tif 000002
【手続補正１７】
【補正対象書類名】図面
【補正対象項目名】図９
【補正方法】変更
【補正の内容】
【図９】
2001188159.tif 000003
【手続補正１８】
【補正対象書類名】図面
【補正対象項目名】図１０
【補正方法】変更
【補正の内容】
【図１０】
2001188159.tif 000004